(57)【要約】  本発明の実施例は、着用者の足の全部又は一部を包む甲皮、前記甲皮の下部に結合された靴底、及び、前記靴底の上に配置された中敷きを含むシューズであって、本発明の実施例に係るシューズの中敷きは、前記靴底の上に配置された底部と、前記底部の側面縁部に延びて着用者の足の側面の一部を包む一対以上の側面支持部と、前記一対以上の側面支持部の端部にそれぞれ設けられ、前記底部及び前記側面支持部が着用者の足にフィットするように締め付ける一対以上の締め付け部を含む。
2015512743.tif 000002
【特許請求の範囲】
【請求項１】
着用者の足の全部又は一部を包む甲皮、前記甲皮の下部に結合された靴底、及び、前記靴底の上に配置された中敷きを含むシューズであって、
前記中敷きが、
前記靴底の上に配置された底部と、
前記底部の側面縁部に延びて着用者の足の側面の一部を包む一対以上の側面支持部と、
前記一対以上の側面支持部の端部にそれぞれ設けられ、前記底部及び前記側面支持部が着用者の足にフィットするように締め付ける一対以上の締め付け部と
を含むシューズ。
【請求項２】
前記一対以上の側面支持部は、前記甲皮の内側に配置され、
前記一対以上の締め付け部は、前記甲皮の外側に突出している、請求項１に記載のシューズ。
【請求項３】
前記甲皮は、前記締め付け部が突出するための開口部を有する、請求項２に記載のシューズ。
【請求項４】
前記一対以上の側面支持部は、着用者の足の前部分、中間部分及び後部分のうち少なくとも１つ以上の側面を包む、請求項２に記載のシューズ。
【請求項５】
前記一対以上の締め付け部は、着用者の足の甲を締め付ける、請求項２に記載のシューズ。
【請求項６】
前記一対以上の締め付け部は、着用者の足首を締め付ける、請求項２に記載のシューズ。
【請求項７】
前記中敷きは、合成樹脂、天然ゴム、皮革及び織物のうちのいずれか１つの素材を使用して製造される、請求項１に記載のシューズ。
【請求項８】
前記一対以上の締め付け部は、
それぞれ前記甲皮の外側に突出した締め付け本体と、
前記締め付け本体に形成された結合穴と、
前記結合穴に通される靴紐とを含む、請求項１乃至７のいずれか一項に記載のシューズ。
【請求項９】
前記一対以上の締め付け部は、それぞれ、
前記甲皮の外側に突出した締め付け本体と、
前記締め付け本体の一面に設けられた面ファスナー結合部とを含む、請求項１乃至７のいずれか一項に記載のシューズ。
【請求項１０】
前記一対以上の締め付け部のうちのいずれか一方の締め付け部は、第１の締め付け本体と、前記第１の締め付け本体の端部に設けられた結合リングとを含み、
前記一対以上の締め付け部のうちのいずれか他方の締め付け部は、前記第１の締め付け本体よりも相対的に長い長さを有し、前記結合リングに通して結合される第２の締め付け本体を含む、請求項１乃至７のいずれか一項に記載のシューズ。
【発明の詳細な説明】
【技術分野】
【０００１】
本発明の実施例は、シューズに関し、より詳しくは、機能の向上した中敷きを備えるシューズに関する。
【背景技術】
【０００２】
シューズは、ヒトの足を保護するためのものであり、ヒトの歩行時又は走行時において、足を外部の環境から保護する機能を果たす。
【０００３】
一般に、シューズは、甲皮、靴底及び中敷きを含んでなる。甲皮は、着用者の足の甲を包み、靴底は、甲皮の下部に付着され、地面に触れながら衝撃を吸収する。中敷きは、着用者の足裏に当接するように靴底の上に配置され、着用者の足裏を保護する。
【０００４】
なお、足のサイズ及び形状は、着用者毎に異なるため、シューズの中敷きを人体工学に基づいて設計した場合でも、シューズの中敷きと着用者の足との間には、空間が生じるようになる。
【０００５】
このような空間は、シューズの着用感に悪い影響を与え、また、着用者の運動能力を低下させる原因となっている。
【０００６】
特に、着用者が靴を着用して歩行又は走行する途中、方向を転換したり、急に停止したりする動作を繰り返すと、着用者の足とシューズの中敷きとの間で摩擦が発生し、足に水泡ができるなど、怪我をするという問題点がある。
【発明の概要】
【発明が解決しようとする課題】
【０００７】
本発明の実施例は、怪我を防止し、且つ着用感と運動能力を向上させる、シューズを提供する。
【課題を解決するための手段】
【０００８】
本発明の実施例において、シューズは、着用者の足の全部又は一部を包む甲皮、前記甲皮の下部に結合された靴底、及び前記靴底の上に配置された中敷きを含む。また、前記中敷きは、前記靴底の上に配置された底部、前記底部の側面縁部に延びて着用者の足の側面の一部を包む一対以上の側面支持部、及び、前記一対以上の側面支持部の端部にそれぞれ設けられ、前記底部及び前記側面支持部が着用者の足にフィットするように締め付ける一対以上の締め付け部を含む。
【０００９】
前記一対以上の側面支持部は、前記甲皮の内側に配置され、前記一対以上の締め付け部は、前記甲皮の外側に突出されることができる。
【００１０】
前記甲皮は、前記締め付け部が突出するための開口部を有することができる。
【００１１】
前記一対以上の側面支持部は、着用者の足の前部分、中間部分及び後部分のうちの少なくとも１つ以上の側面を包むことができる。
【００１２】
前記一対以上の締め付け部は、着用者の足の甲を締め付けることができる。
【００１３】
前記一対以上の締め付け部は、着用者の足首を締め付けることができる。
【００１４】
前記中敷きは、合成樹脂、天然ゴム、皮革及び織物のうちのいずれか１つ以上の素材を使用して製造されることができる。
【００１５】
上述のシューズにおいて、前記一対以上の締め付け部は、それぞれ前記甲皮の外側に突出した締め付け本体、前記締め付け本体に形成された結合穴、及び、前記結合穴に通される靴紐を含むことができる。
【００１６】
また、上述のシューズにおいて、前記一対以上の締め付け部は、それぞれ前記甲皮の外側に突出した締め付け本体と、前記締め付け本体の一面に設けられた面ファスナー結合部とを含むことができる。
【００１７】
また、上述のシューズにおいて、前記一対以上の締め付け部のうちのいずれか一方の締め付け部は、第１の締め付け本体と、前記第１の締め付け本体の端部に設けられた結合リングとを含むことができる。また、前記一対以上の締め付け部のうちのいずれか他方の締め付け部は、前記第１の締め付け本体よりも相対的に長い長さを有し、前記結合リングに通して結合される第２の締め付け本体とを含むことができる。
【発明の効果】
【００１８】
本発明の実施例によれば、怪我を防止し、且つ着用感と運動能力を向上させるシューズを提供することができる。
【図面の簡単な説明】
【００１９】
【図１】本発明の第１の実施例に係るシューズの斜視図である。
【図２】図１に示されたシューズの分解斜視図である。
【図３】本発明の第２の実施例に係るシューズに使用された中敷きの斜視図である。
【図４】本発明の第３の実施例に係るシューズに使用された中敷きの斜視図である。
【図５】本発明の第４の実施例に係るシューズに使用された中敷きの斜視図である。
【図６】本発明の第５の実施例に係るシューズに使用された中敷きの斜視図である。
【図７】本発明の第１の実施例における実験例と比較例とを対比した断面図である。
【図８】本発明の第１の実施例における実験例と比較例とを対比した断面図である。
【発明を実施するための形態】
【００２０】
以下、添付の図面を参照して、本発明の実施例について、本発明の属する技術分野で通常の知識を有する者が容易に実施できるように詳述する。本発明は、種々変更して実施することが可能であり、これらの実施例に限定されるものではない。
なお、下記の実施例において、同じ構成を有する構成要素には同じ符号を付するが、第１の実施例を代表として説明し、他の実施例においては、第１の実施例と異なる構成についてのみ説明する。
【００２１】
本発明の図面は、概略的で、且つ縮尺に合わせて示されていないことを理解されたい。図面に示された相対的な寸法及び比率は、図面において明確性及び便宜を図るため、その大きさが誇張又は減少して示されており、任意の寸法は、例示的であり、本発明を限定するものではない。また、２つ以上の図面に示されている同じ構造物、要素又は部品には、類似した特性を示すため、同じ参照符号を付している。
【００２２】
本発明の実施例は、本発明の好適な実施例を具体的に示すためのものである。それで、図解において種々の変形が予想される。従って、実施例は、図示されている特定の形態に限定されるものではなく、例えば、製造による形態の変形が含まれる。
【００２３】
以下、図１及び図２を参照して、本発明の第１の実施例に係るシューズ１０１を説明する。
図１及び図２に示されるように、シューズ１０１は、甲皮１０、中敷き２０及び靴底３０を含んでなる。
甲皮１０は、着用者の足の全部又は一部を包んで保護する。本発明の第１の実施例において、甲皮１０は、種々の形状を有することができ、着用者の足だけでなく、足首を包んで保護することもできる。
また、本発明の第１の実施例において、甲皮１０は、足の甲又は足首に相当する個所に形成された開放部１９を含む。
靴底３０は、甲皮１０の下部に結合され、地面に接触する。靴底３０は、着用者が歩行又は走行する時において地面から加えられる衝撃を吸収する。一例として、靴底３０は、衝撃を吸収する弾性体を含む裏敷と、裏敷を保護しかつ地面に直接接触する表敷とを含むことができる。
【００２４】
中敷き２０は、靴底の上に配置される。具体的に、本発明の第１の実施例において、中敷き２０は、底部２１、側面支持部２２及び締め付け部２３部を備える。
底部２１は、靴底の上に配置され、着用者の足の裏に当接する。
側面支持部２２は、底部２１の側面縁部から延びて着用者の足の側面の一部を包む。側面支持部２２は、着用者の足の両側面にそれぞれ配置され、少なくとも一対を設けることができる。また、側面支持部２２は、甲皮１０の内側に配置される。
【００２５】
図２において、側面支持部２２は、着用者の足の中間部分を包囲しているが、本発明の第１の実施例が、これに限定されるのではない。即ち、少なくとも一対の側面支持部２２は、着用者の足の前部分、中間部分、後部分のうちのいずれか１つ以上の側面を包囲することができる。
【００２６】
具体的に、本発明の第１の実施例において、側面支持部２２は、シューズ１０１の主な用途に応じて、形成される部位を変化させることができる。例えば、足の前方への方向転換が頻繁なテニスシューズでは、側面支持部２２が足の前部分に対応する位置に形成されることができ、ランニングシューズでは、側面支持部２２が足の中間部分に対応する位置に形成されることができ、バスケットシューズでは、側面支持部２２が足の後部分に形成されることができる。
【００２７】
締め付け部２３は、一対以上の側面支持部２２の端部にそれぞれ設けられている。即ち、締め付け部２３は、同じく、少なくとも一対が設けられている。また、締め付け部２３は、甲皮１０の開口部１９を介して甲皮１０の外部に突出される。締め付け部２３は、底部２１及び側面支持部２２が着用者の足にフィットするように締め付ける役割を果たす。
【００２８】
本発明の第１の実施例において、締め付け部２３は、甲皮１０の外側に突出した締め付け本体２３１と、締め付け本体２３１に形成された結合穴２３２と、結合穴２３２に通される靴紐２３３とを含む。即ち、着用者の足の両側面にそれぞれ設けられた一対以上の締め付け部２３を有する靴紐２３３を結ぶことにより、側面支持部２２と底部２１とを着用者の足にフィットするように締め付けることができる。
【００２９】
また、本発明の第１の実施例において、一対以上の締め付け部２３は、着用者の足の甲を締め付けることができる。
【００３０】
さらに、本発明の第１の実施例において、中敷き２０は、合成樹脂、天然ゴム、皮革及び織物のうちのいずれか１つ以上の素材を使用して製造ことができる。即ち、中敷き２３は、合成樹脂、天然ゴム、皮革及び織物のうちのいずれか１つを使用して、又はこれらの組み合わせを使用して製造されることができる。
【００３１】
例えば、中敷き２０の底部２１において、靴底３０と対向する個所は、合成樹脂で形成され、着用者の足と対向する個所は、織物又は皮革で形成されることができる。また、側面支持部２２及び締め付け部２３の締め付け本体２３１は、合成樹脂又は織物で形成し、締め付け部２３の靴紐２３３は、織物で形成することができる。なお、中敷き２０は、前述した組み合わせの他に、種々の組み合わせで作ることができる。
【００３２】
このような構成により、本発明の第１の実施例に係るシューズ１０１は、怪我を防止し、かつ着用感と運動能力を向上させることができる。
【００３３】
具体的に、着用者が、本発明の第１の実施例に係るシューズ１０１を着用して、締め付け部２０を足のサイズに合わせて締め付けると、中敷き２０の底部２１と側面支持部２２とが着用者の足にフィットすると共に、着用者の足と中敷き２０との間の空き空間が最小化される。即ち、本発明の第１の実施例に係るシューズ１０１は、着用者の足サイズが多少相違しても、これとは関係なく、足と中敷き２０との間の開き空間を最小化することができる。
【００３４】
上述のように、本発明の第１の実施例において、靴紐２３３を結んで締め付けることにより、中敷き２０が着用者の足の形状に追従して最大限、足の形状に合うように足を支持しているため、シューズ１０１の着用感や一体感を向上させることができる。
【００３５】
また、本発明の第１の実施例においては、中敷き２０は、着用者の足裏だけでなく、足の側面及び足の甲を包んで密着支持しているため、着用者の急な方向転換や急停止、また、急加速のような比較的激しい運動をする時、荷重を分散させ、足の疲労度を軽減することができる。
【００３６】
さらに、本発明の第１の実施例によれば、中敷き２０の上で着用者の足が滑る現象を極力抑制することができるため、着用者の足と中敷き２０との間の摩擦で足に水泡ができるなどの、怪我をするのを防ぐことができる。
【００３７】
以下、図３を参照して、本発明の第２の実施例を説明する。
図３に示されるように、本発明の第２の実施例に係るシューズに使用される中敷き２０の締め付け部２３は、甲皮１０の外側に突出した締め付け本体２３１と、締め付け本体２３１の一面に設けられた面ファスナー結合部２３４とを含む。
【００３８】
即ち、一対の側面支持部２２の端部にそれぞれ形成された一対の締め付け部２３は、締め付け本体２３１に設けられた面ファスナー結合部２３４により互いに結合されることで、中敷き２３０の側面支持部２２と底部２１とを締め付けるようになる。
なお、面ファスナー結合部２３４としては、当該技術分野の従事者に公知の種々の面ファスナーを採用することができる。
【００３９】
このような構成により、本発明の第２の実施例に係るシューズは、怪我を防止し、かつ着用感と運動能力を向上させることができ、また、着用者は、中敷きの締め付け、シューズの脱ぎ履きを容易に行うことができる。
【００４０】
以下、図４を参照して、本発明の第３の実施例を説明する。
図４に示されたように、本発明の第３の実施例に係るシューズに使用される中敷き２０の一対以上の締め付け部２３のうち、いずれか一方の締め付け部２３は、第１の締め付け本体２３１１と、第１の締め付け本体２３１１の端部に設けられた結合リング２３５とを含む。また、一対以上の締め付け部２３のうち、いずれか他方の締め付け部２３は、第１の締め付け本体２３１１よりも相対的に長い長さを有し、結合リング２３５に通して結合される第２の締め付け本体２３１２を含む。
【００４１】
即ち、第２の締め付け本体２３１２が、第１の締め付け本体２３１１の端部に設けられた結合リング２３５に結合されることで、中敷き２０の側面支持部２２と底部２１とを締め付けるようになる。
【００４２】
このような構成により、本発明の第３の実施例に係るシューズは、怪我を防止し、かつ着用感と運動能力を向上させることができ、また、着用者は、中敷きの締め付け、靴の脱ぎ履きを容易に行うことができる。
【００４３】
以下、図５を参照して、本発明の第４の実施例を説明する。
図５に示されるように、本発明の第４の実施例に係るシューズに使用される側面支持部２２は、着用者の足の後部分に対応する個所に設けられ、締め付け部２３は、着用者の足首を包んで締め付ける。
【００４４】
この時、締め付け部２３は、第１の実施例と同様に、締め付け本体２３１と、締め付け本体２３１に設けられた結合穴２３２と、結合穴２３２に通される靴紐２３３とを含む。
【００４５】
このような構成により、本発明の第４の実施例に係るシューズは、怪我を防止し、且つ着用感と運動能力を向上させることができ、特に、バスケットボールのような運動のためのシューズとして効果的に適用可能である。
【００４６】
以下、図６を参照して、本発明の第５の実施例を説明する。
図６に示されるように、本発明の第５の実施例に係るシューズに使用される側面支持部２２は、同じく、着用者の足の後部分に対応する個所に設けられ、締め付け部２３は、着用者の足首を包んで締め付ける。
この時、締め付け部２３は、第２の実施例と同様に、締め付け本体２３１と、締め付け本体２３１の一面に設けられた面ファスナー結合部２３４とを含む。
【００４７】
このような構成により、本発明の第４の実施例に係るシューズは、怪我を防止し、且つ着用感と運動能力を向上させることができ、特にバスケットボールのような運動のためのシューズに効果的に適用可能であり、また、着用者は、シューズの脱ぎ履きを容易に行うことができる。
【００４８】
以下、図７及び図８を参照して、本発明の第１の実施例に係る試験例と比較例とを対比して、作用効果を具体的に説明する。
図７は、一般のシューズに係る比較例を示し、図８は、本発明の第１の実施例に係る試験例を示している。
【００４９】
図７に示されるように、比較例では、着用者が急に方向転換する場合、シューズの内部で着用者の足が空き空間へ滑ってしまい、足と中敷き２００との間で摩擦が生じることがある。このような摩擦は、着用者の運動能力を低下させ、足に水泡ができるなど、怪我を誘発する。
図７中、参照符号１００は、甲皮を示し、参照符号３００は、靴底を示す。
【００５０】
その反面、図８に示されるように、試験例では、中敷き２０の底部２１と側面支持部２２とが、締め付け部（図示せず）により、着用者の足に一体感があるようにフィットして、中敷き２０と足との間の摩擦を極力最小化することができる。その代わりに、中敷き２０とシューズの靴底３０との間で摩擦が生じるが、中敷き２０が着用者の足を保護しているため、このような摩擦による怪我の発生が防止される。
【００５１】
以上、添付の図面を参照して本発明の実施例を説明してきたが、本発明の属する技術分野の当業者であれば、本発明は、その技術的思想や必須構成要素を変更することなく、種々変更して実施できることは理解できるだろう。
【００５２】
それで、上述の実施例は、あくまでも本発明の例示であって、本発明を限定するものではなく、本発明の範囲は、後述の特許請求の範囲によって示されており、特許請求の範囲の意味及び範囲、そしてその等価概念から導出される全ての変更又は変形形態は、本発明の範囲に含まれるものと解釈されるべきである。
【符号の説明】
【００５３】
１０：甲皮、１９：開口部、２０：中敷き、２１：底部、２２：側面支持部、２３：締め付け部、３０：靴底、１０１：シューズ、２３１：締め付け本体、２３２：結合穴、２３３：靴紐、２３４：面ファスナー結合部、２３５：結合リング。
【図１】
2015512743.tif 000003
【図２】
2015512743.tif 000004
【図３】
2015512743.tif 000005
【図４】
2015512743.tif 000006
【図５】
2015512743.tif 000007
【図６】
2015512743.tif 000008
【図７】
2015512743.tif 000009
【図８】
2015512743.tif 000010
【国際調査報告】
2015512743.tif 000011
2015512743.tif 000012
2015512743.tif 000013
2015512743.tif 000014